(57)【要約】【課題】高温時における配管からのガス漏れを抑制可能なヘッダーを提供すること。【解決手段】ガス供給管１４から流入したガスを分岐して複数のガス機器に向けて供給する第１ガス配管２６及び第２ガス配管２８が接続されるヘッダー２０であり、ヘッダー２０の設置されている環境の温度、または第１ガス配管２６及び第２ガス配管２８が設置されている環境の温度を測定する温度センサ３６、ヘッダー２０の配管毎に設けられ、第１ガス配管２６及び第２ガス配管２８に対してガスの供給を停止可能な複数の遮断弁３３、温度センサ３６で測定された温度が予め設定した設定温度を超えた場合に、遮断弁３３で第１ガス配管２６及び第２ガス配管２８に対するガスの供給を遮断する制御装置３４を有する。【選択図】図１
2018128223.tif 000002
【特許請求の範囲】
【請求項１】
ガス供給源から流入したガスを分岐して複数のガス機器に向けて供給する複数の配管が接続されるヘッダー本体と、
前記ヘッダー本体の設置されている環境の温度、または前記配管が設置されている環境の温度を測定する温度測定装置と、
前記ヘッダー本体の配管毎に設けられ、前記配管に対して前記ガスの供給を停止可能な複数の遮断装置と、
前記温度測定装置で測定された前記温度が予め設定した設定温度を超えた場合に、前記遮断装置で前記配管に対する前記ガスの供給を遮断する制御装置と、
を有するヘッダー。
【請求項２】
前記ヘッダー本体のガス供給源側には、前記ガスの供給を遮断するガス供給元遮断装置を備えたガスメータが設けられており、前記制御装置は、前記温度測定装置で測定された前記環境の温度が、予め設定した設定温度を超えた場合に前記ガス供給元遮断装置を作動させて前記ガスの供給を停止する、請求項１に記載のヘッダー。
【請求項３】
前記設定温度は、前記ガスの発火温度よりも低く設定されている、請求項１または請求項２に記載のヘッダー。
【請求項４】
前記制御装置には、火災警報器が接続されており、
前記制御装置は、前記火災警報器が作動したことを検知した際に、前記遮断装置を作動させて前記ガスの供給を停止する、請求項１〜請求項３の何れか１項に記載のヘッダー。
【請求項５】
前記火災警報器は、警報を出して火災を知らしめる発信機を備えている、請求項４に記載のヘッダー。
【請求項６】
前記制御装置には、ガス漏れ警報器が接続されており、
前記制御装置は、前記ガス漏れ警報器が作動したことを検知した際に、前記遮断装置を作動させて前記ガスの供給を停止する、請求項１〜請求項５の何れか１項に記載のヘッダー。
【発明の詳細な説明】
【技術分野】
【０００１】
本発明は、ガス供給源から流入したガスを分岐して複数のガス機器に向けて供給可能なヘッダーに関する。
【背景技術】
【０００２】
住宅等の建築物において、都市ガスを用いる種々のガス器具が設置されている場合がある（特許文献１、２参照）。
【先行技術文献】
【特許文献】
【０００３】
【特許文献１】特開２００８−２０９０８８号公報
【特許文献２】特開２００８−１２８５８４号公報
【発明の概要】
【発明が解決しようとする課題】
【０００４】
特許文献１、２には、ガスメータのガス流路内に、異常時にガスを遮断する遮断弁とガス流量を計測する超音波センサが設けられ、流量値が異常に多い場合や、通常考えられる使用時間を超えて流量値が検出されるような場合に、異常と判断して遮断弁を作動させてガス流路を遮断するガス器具監視装置が開示されている。
【０００５】
従来のガス配管システムでは、ガスメータからガス機器までの間に、金属製の配管が用いられており、配管や継手等、それぞれの部位に耐火性を持たせていた。ところで、従来よりも耐火性の低い配管を用いた場合、配管が高温により不具合を生じてガス漏れを生じる懸念があり、配管の選択肢が限られている。
【０００６】
本発明は、上記事実を考慮して、高温時における配管からのガス漏れを抑制可能なヘッダーを提供することを目的とする。
【課題を解決するための手段】
【０００７】
請求項１に記載のヘッダーは、ガス供給源から流入したガスを分岐して複数のガス機器に向けて供給する複数の配管が接続されるヘッダー本体と、前記ヘッダー本体の設置されている環境の温度、または前記配管が設置されている環境の温度を測定する温度測定装置と、前記ヘッダー本体の配管毎に設けられ、前記配管に対して前記ガスの供給を停止可能な複数の遮断装置と、前記温度測定装置で測定された前記温度が予め設定した設定温度を超えた場合に、前記遮断装置で前記配管に対する前記ガスの供給を遮断する制御装置と、を有する。
【０００８】
例えば、ヘッダーの設置されている環境において、火災等の発生により、その環境の温度が高温になる場合がある。環境の温度が高温になると、ヘッダーに接続されている配管の材料によっては、配管に不具合を生じ、ガス漏れを生じる懸念がある。
【０００９】
請求項１に記載のヘッダーでは、温度測定装置がヘッダー本体の設置されている環境の温度、または配管が設置されている環境の温度を測定し、温度測定装置で測定された環境の温度、または、温度測定装置で測定された配管が設置されている環境の温度が、予め設定した設定温度を超えた場合に、制御装置は、遮断装置を作動させて配管に対してガスの供給を遮断することができる。
【００１０】
したがって、ヘッダーとガス機器とを配管で接続した際に、火災等により、ヘッダー本体の設置されている環境の温度、または、配管が設置されている環境の温度が高温となり、配管の不具合からガスが漏れようとした場合であっても、配管へのガスの供給を迅速に遮断することができる。これにより、ガス配管システムの安全性を向上することができる。
【００１１】
請求項２に記載の発明は、請求項１に記載のヘッダーにおいて、前記ヘッダー本体のガス供給源側には、前記ガスの供給を遮断するガス供給元遮断装置を備えたガスメータが設けられており、前記制御装置は、前記温度測定装置で測定された前記環境の温度が、予め設定した設定温度を超えた場合に前記ガス供給元遮断装置を作動させて前記ガスの供給を停止する。
【００１２】
請求項２に記載のヘッダーでは、温度測定装置で測定された環境の温度が、予め設定した設定温度を超えた場合に、制御装置は、ガスメータのガス供給元遮断装置を作動させてヘッダーに対してガスの供給を停止することができる。これにより、ガス配管システムの安全性を更に向上することができる。
【００１３】
請求項３に記載の発明は、請求項１または請求項２に記載のヘッダーにおいて、前記設定温度は、前記ガスの発火温度よりも低く設定されている。
【００１４】
請求項３に記載のヘッダーでは、設定温度が、ガスの発火温度よりも低く設定されているので、配管に物が当たるなどで、万が一、何らかの不具合により配管からガスが漏れていたとしても、環境の温度が高温になる前、即ち、ガスの発火温度よりも低い温度で配管へのガスの供給を遮断するので、配管の不具合部分からの出火を抑制することができる。
【００１５】
請求項４に記載の発明は、請求項１〜請求項３の何れか１項に記載のヘッダーにおいて、前記制御装置には、火災警報器が接続されており、前記制御装置は、前記火災警報器が作動したことを検知した際に、前記遮断装置を作動させて前記ガスの供給を停止する。
【００１６】
請求項４に記載のヘッダーでは、制御装置に火災警報器が接続されており、制御装置が、火災警報器が作動したことを検知した際に、遮断装置を作動させてガスの供給を停止する。このため、設置環境の温度が高温になる前にガスの供給を停止することができ、安全性を更に高めることができる。
【００１７】
請求項５に記載の発明は、請求項４に記載のヘッダーにおいて、前記火災警報器は、警報を出して火災を知らしめる発信機を備えている。
【００１８】
火災警報器は、警報を出して火災を知らしめることができる。制御装置は火災警報器が作動したことを検知して遮断装置を作動させてガスの供給を停止する。このため、設置環境の温度が高温になる前にガスの供給を停止することができ、安全性を更に高めることができる。
【００１９】
請求項６に記載の発明は、請求項１〜請求項５の何れか１項に記載のヘッダーにおいて、前記制御装置には、ガス漏れ警報器が接続されており、前記制御装置は、前記ガス漏れ警報器が作動したことを検知した際に、前記遮断装置を作動させて前記ガスの供給を停止する。
【００２０】
請求項６に記載のヘッダーでは、ガス漏れ警報器で、ガス漏れを検知することができる。そして、制御装置は、ガス漏れ警報器が作動したことを検知した際に、遮断装置を作動させてガスの供給を停止する。このため、設置環境の温度が高温になる前にガスの供給を停止することができ、安全性を更に高めることができる。
【発明の効果】
【００２１】
以上説明したように、本発明のヘッダーによれば、高温時における配管からのガス漏れを抑制することができる、という優れた効果を有する。
【図面の簡単な説明】
【００２２】
【図１】本発明の第１の実施形態に係るヘッダーが適用された住宅を示す概略構成図である。
【図２】制御系を示すブロック図である。
【図３】制御装置の制御を示すフローチャートである。
【図４】本発明の第２の実施形態に係るヘッダーが適用された住宅を示す概略構成図である。
【図５】第２の実施形態の制御系を示すブロック図である。
【図６】第２の実施形態の制御装置の制御を示すフローチャートである。
【発明を実施するための形態】
【００２３】
［第１の実施形態］
以下、本発明を実施するための形態を図１乃至図３にしたがって説明する。
図１には、本実施形態のヘッダー２０が適用されたガス配管システム１０を備えた住宅１２が示されている。
【００２４】
住宅１２の屋外には、ガス供給源の一例である都市ガスのガス供給管１４が配置されている。本実施形態のガス供給管１４は、一般的に用いられる金属製の配管である。ガス供給管１４の端部は、屋外に設置されたガスメータ１６に接続されている。ガスメータ１６は、後述する制御装置３４からの制御信号によって作動してガスの供給を遮断可能な遮断弁１６Ａ、ガスの流量を計測して後述する制御装置３４へ流量測定データを出力する流量計１６Ｂ、及びガスの流量を表示する表示部１６Ｃ等を備えている。
【００２５】
ガスメータ１６には、屋内に向けて設置された第１のガス配管１８が接続されている。第１のガス配管１８は、一般的に用いられる金属製の配管である。第１のガス配管１８の端部は、屋内に設置されたヘッダー２０に接続されている。ヘッダー２０は、供給されたガスを複数に分岐するものである。ヘッダー２０は、一例として、住宅１２の床下１２Ａに設置されているが、場合によっては室内に設置されていてもよい。
【００２６】
住宅１２には、一例として、ガス機器としてのガスコンロ２２、及びガス給湯器２４が設置されている。
【００２７】
ヘッダー２０には、ガスコンロ２２と接続される第１ガス配管２６、及びガス給湯器２４に接続される第２ガス配管２８が接続されている。
【００２８】
図１及び図２に示すように、住宅１２には、制御装置３４が設けられている。ヘッダー２０の内部には、第１ガス配管２６、及び第２ガス配管２８へのガスの供給を遮断可能な遮断弁３３が、分岐部分２０Ａの上流側に設けられている。遮断弁３３は、制御装置３４からの制御信号によって作動し、ガス配管側へのガスの供給を遮断することができる。
【００２９】
ここで、床下１２Ａのヘッダー２０の近傍には、ヘッダー２０の設置されている環境の温度計測する温度測定装置としての温度センサ３６が配置されている。なお、温度センサ３６は、ヘッダー２０に取り付けられていてもよい。温度センサ３６は、制御装置３４に接続されており、計測した温度データを制御装置３４に出力する。
【００３０】
制御装置３４には、ガスメータ１６の遮断弁１６Ａが作動して閉状態になった場合、及び遮断弁３３が作動して閉状態になった場合に、各々の遮断弁が作動してガスの供給が停止していることを表す表示装置４０が接続されている。また、制御装置３４には、各々の遮断弁を閉状態から開状態へ復帰させる復帰ボタン４２が接続されている。
【００３１】
（作用）
次に、本実施形態のガス配管システム１０の作用を以下に説明する。
例えば、住宅１２に火災が発生したと想定すると、これに伴って住宅内の温度が上昇し、ヘッダー２０の設置されている設置環境の温度も上昇する。これに伴い、ヘッダー２０の近傍の第１ガス配管２６、及び第２ガス配管２８の設置されている設置環境の温度も上昇する。
図３には、制御装置３４は、温度センサ３６から出力された温度計測データを受信して行う制御を示すフローチャートが示されている。
【００３２】
先ず、ステップ１００では、ヘッダー２０の設置されている環境の温度Ｔ１を温度センサ３６で測定する。なお、制御装置３４は、環境の温度Ｔ１を常時計測している。
【００３３】
次のステップ１０２では、温度センサ３６で計測した環境の温度Ｔ１が、制御装置３４に予め設定した警告温度（Ｔmax℃）を超えたか否かを判断する。ここで、制御装置３４が、測定した環境の温度Ｔ１が予め設定した警告温度（Ｔmax℃）を超えていないと判断した場合にはステップ１０２に戻り、測定した環境の温度Ｔ１が予め設定した警告温度（Ｔmax℃）を超えていると判断した場合にはステップ１０４に進む。
【００３４】
ステップ１０４では、遮断弁３３を閉状態とし、ヘッダー２０は、第１ガス配管２６、及び第２ガス配管２８へのガスの供給を遮断する。これにより、ヘッダー２０の設置されている環境の温度Ｔ１が高温になった場合における、第１ガス配管２６、及び第２ガス配管２８からのガス漏れを抑制することができる。遮断弁３３が閉状態となった後、ステップ１０６に進む。
【００３５】
ステップ１０６では、表示装置４０に、遮断弁３３が閉状態となったことを表示する。
【００３６】
このように、本実施形態のガス配管システム１０では、ヘッダー２０の設置されている環境の温度を測定することで、第１ガス配管２６、及び第２ガス配管２８のヘッダー２０近傍の部分が高温に曝されて劣化（一例として溶融する、分解する等）してガス漏れを生じる前に、ガスの供給を遮断することができる。
【００３７】
本実施形態のガス配管システム１０では、金属配管に比較して耐火性、言い換えれば耐熱性が低い材料からなるガス配管を用いた場合でも、高温時のガス漏れを抑制することができる。
【００３８】
本実施形態のガス配管システム１０では、ヘッダー２０の設置されている環境の温度が、警告温度（Ｔmax℃）を超えた場合に遮断弁３３を閉状態としたが、ガスメータ１６の遮断弁１６Ａを同時に閉状態とし、ヘッダー２０よりも上流側でガスの供給を遮断してもよい。
【００３９】
なお、警告温度（Ｔmax℃）は、制御装置３４において任意に設定できる。警告温度（Ｔmax℃）は、一例として、第１ガス配管２６、及び第２ガス配管２８を構成している材料の耐熱温度（一例として、融点）よりも低く設定することができる。これにより、第１ガス配管２６、及び第２ガス配管２８が高温に曝されて不具合を生じる前に、確実にガスの供給を停止することができる。また、警告温度（Ｔmax℃）は、ガスの発火温度よりも低く設定することができる。
【００４０】
本実施形態のように、設置環境の温度を測定し、設置環境の温度予め設定した温度を超えた場合にヘッダー２０がガスの供給を遮断するので、ヘッダー２０の設置されている環境の温度、または、第１ガス配管２６、及び第２ガス配管２８が設置されている環境の温度が高温となり、例えば、第１ガス配管２６、及び第２ガス配管２８の不具合からガスが漏れようとした場合であっても、第１ガス配管２６、及び第２ガス配管２８へのガスの供給を迅速に遮断することができ、ガス配管システム１０の安全性を向上することができる
【００４１】
［第２の実施形態］
次に、第２の実施形態に係るガス配管システム１０を図４乃至図６にしたがって説明する。なお、第１の実施形態と同一構成には同一符号を付し、その説明は省略する。
【００４２】
図４、及び図５に示すように、本実施形態のガス配管システム１０では、ガスコンロ２２の近傍に第１のガス漏れ警報器４４が設置され、ガス給湯器２４の近傍に、第２のガス漏れ警報器４６が設置されている。第１のガス漏れ警報器４４、及び第２のガス漏れ警報器４６は、制御装置３４に接続されており、ガス漏れを検知すると制御装置３４にガス漏れを検知した信号を出力するようになっている。
【００４３】
部屋１２Ｂの天井には火災警報器４８が取り付けられており、部屋１２Ｃの天井には火災警報器５０が取り付けられている。火災警報器４８，５０は、煙を感知する煙感知式のものであってもよく、火炎を検知する熱感知式のものであってもよく、その他の形式のものであってもよい。火災警報器４８，５０は、制御装置３４に接続されており、火炎（または煙）を検知すると、制御装置３４に火炎（または煙）を検知した信号を出力するようになっている。
【００４４】
また、住宅１２の室内には、ボタンを押すことで、警報ブザーを鳴らしたり警報ランプを点灯させる発信機５２が設けられている。発信機５２は制御装置３４に接続されており、ボタンを押すことで、制御装置３４に警報信号を出力するようになっている。
【００４５】
本実施形態のガス配管システム１０では、ガスコンロ２２の近傍に第１のガス漏れ警報器４４が設置され、ガス給湯器２４の近傍に、第２のガス漏れ警報器４６が設置されているので、第１のガス漏れ警報器４４、及び第２のガス漏れ警報器４６の少なくとも一方がガス漏れを検知すると、制御装置３４が遮断弁３３を閉状態とし、第１ガス配管２６、及び第２ガス配管２８へのガスの供給を遮断することができる。
【００４６】
また、本実施形態のガス配管システム１０では、火災警報器４８，５０が住宅１２の火災の発生を検知すると、制御装置３４が遮断弁３３を閉状態とし、第１ガス配管２６、及び第２ガス配管２８へのガスの供給を遮断することができる。
【００４７】
また、本実施形態のガス配管システム１０では、発信機５２のボタンが押されると、制御装置３４が遮断弁３３を閉状態とし、第１ガス配管２６、及び第２ガス配管２８へのガスの供給を遮断することができる。
【００４８】
このように、本実施形態のガス配管システム１０では、温度センサ３６の他に、第１のガス漏れ警報器４４、第２のガス漏れ警報器４６、火災警報器４８，５０、及び発信機５２を備えているので、万が一、温度センサ３６が故障していても、住宅１２の異常時に、第１ガス配管２６、及び第２ガス配管２８へのガスの供給を遮断することができ、また、ヘッダー２０の設置環境の高温を検知する前においても、事前に第１ガス配管２６、及び第２ガス配管２８へのガスの供給を遮断することができる。これにより、安全性を更に高めることができる。
【００４９】
なお、ガス漏れ警報器は、住宅１２の床下１２Ａに設置してもよい。これにより、床下１２Ａのガス配管系統の不具合（接続部の緩み、配管の外れ等）によるガス漏れを検知することができる。
【００５０】
図６に示すフローチャートは、本実施形態のガス配管システム１０の制御の一例を示している。
先ず、ステップ２００では、ヘッダー２０の設置されている環境の温度Ｔ１を温度センサ３６で測定する。
【００５１】
次のステップ２０２では、第１のガス漏れ警報器４４、及び第２のガス漏れ警報器４６がガス漏れを検知したか否かを判断する。ガス漏れが検知された場合にはステップ２１２へ進み、遮断弁３３を閉状態としてガスの供給を遮断する。一方、ステップ２０２でガス漏れを検知しない場合にはステップ２０４へ進む。
【００５２】
ステップ２０４では、火災警報器４８、及び火災警報器５０の少なくとも一方が作動したか否かを判断する。火災警報器４８、及び火災警報器５０の少なくとも一方が作動した場合には、ステップ２１２へ進み、遮断弁３３を閉状態としてガスの供給を遮断する。一方、火災警報器４８、及び火災警報器５０が作動していない場合には、ステップ２０６へ進む。
【００５３】
ステップ２０６では、発信機５２のボタンが押されたか否かが判断する。発信機５２のボタンが押された場合には、ステップ２１２へ進み、遮断弁３３を閉状態としてガスの供給を遮断する。一方、発信機５２のボタンが押されていない場合には、ステップ２０８へ進む。
【００５４】
ステップ２０８では、温度センサ３６で計測した環境の温度Ｔ１が、制御装置３４に予め設定した警告温度（Ｔmax℃）を超えたか否かを判断する。ここで、制御装置３４が、測定した環境の温度Ｔ１が予め設定した警告温度（Ｔmax℃）を超えていないと判断した場合にはステップ２０２へ戻り、測定した環境の温度Ｔ１が予め設定した警告温度（Ｔmax℃）を超えていると判断した場合にはステップ２１２に進んで遮断弁３３を閉状態とし、ガスの供給を遮断する。
【００５５】
最後のステップ２１４では、表示装置４０に、遮断弁３３が閉状態となったことを表示する。
【００５６】
このように、本実施形態のガス配管システム１０では、第１のガス漏れ警報器４４、第２のガス漏れ警報器４６、火災警報器４８、火災警報器５０、発信機５２が設置されているので、ヘッダー２０の設置されている環境の温度が高温となる前に、ガスの供給を遮断することができる。
【００５７】
（その他の実施形態）
以上、本発明の一例について説明したが、本発明は、上記に限定されるものでなく、上記以外にも、その主旨を逸脱しない範囲内において種々変形して実施可能であることは勿論である。
【００５８】
なお、上記実施形態では、ガスとして都市ガスを用いた例を示したが、プロパンガス等、他の可燃性ガスを用いることもできる。
【００５９】
上記実施形態では、ヘッダー２０に、ガス機器としてガスコンロ２２、ガス給湯器２４を接続した例を示したが、本発明はこれに限らず、ガスストーブ、ガスファンヒーター、ガス乾燥機、ガスオーブン、ガス発電装置等の他のガス機器を接続することもできる。
【００６０】
また、制御装置３４に通信装置を接続し、遮断弁３３が閉状態となったことを、インターネット回線、電話回線等の通信回線（有線、無線）を通じて、制御装置３４に予め登録しておいたスマートフォン、携帯電話、パソコン等に通報してもよい。
【符号の説明】
【００６１】
１４    ガス供給管（ガス供給源）
１６    ガスメーター
１６Ａ  遮断弁（ガス供給元遮断装置）
２０    ヘッダー（ヘッダー本体）
２２    ガスコンロ（ガス機器）
２４    ガス給湯器（ガス機器）
２６    第１ガス配管（配管）
２８    第２ガス配管（配管）
３４    制御装置
３６    温度センサ（温度測定装置）
３３    遮断弁（遮断装置）
４２    発信機（火災警報器）
４４    第１ガス漏れ警報器
４６    第２ガス漏れ警報器
４８    火災警報器
【図１】
2018128223.tif 000003
【図２】
2018128223.tif 000004
【図３】
2018128223.tif 000005
【図４】
2018128223.tif 000006
【図５】
2018128223.tif 000007
【図６】
2018128223.tif 000008